(57)【要約】【課題】液晶ディスプレイの収納装置において、外部振動等が作用した場合における液晶搭載部及び収納用シャーシの損傷を防止する。【解決手段】収納用シャーシ１０と、スライドシャーシ２０と、液晶搭載部３０と、を備える液晶ディスプレイの収納装置１において、液晶搭載部３０の上端部に被係止部３３を設け、収納用シャーシ１０の出し入れ口１１に被当接部１３を設け、スライドシャーシ２０上にロックスライダ４０を取り付ける。ロックスライダ４０は第１ピン４１及び第２ピンを有し、被係止部３３に第１ピン４１を係止させることにより液晶搭載部３０をスライドシャーシ２０上に倒置状態で固定する一方、引出操作の際に被当接部１３に第２ピン４２を当接させることにより被係止部３３と第１ピン４１との係止状態を解除する。【選択図】　　　　図３
2004054089.tif 000002
【特許請求の範囲】
【請求項１】
出し入れ口を有する収納用シャーシと、前記収納用シャーシに対して引出・収納に係る所定方向のスライド移動が可能なスライドシャーシと、液晶ディスプレイが搭載され一端部が前記スライドシャーシ上に回動可能に取り付けられた液晶搭載部と、を備える液晶ディスプレイの収納装置において、
前記液晶搭載部の他端部に設けられた被係止部と、
前記収納用シャーシの前記出し入れ口に設けられた被当接部と、
前記液晶搭載部に隣接した状態で前記所定方向にスライド移動可能に前記スライドシャーシ上に取り付けられたロックスライダと、を備え、
前記ロックスライダは、
前記スライドシャーシ上で倒置状態にある前記液晶搭載部に前記ロックスライダを近接させた際に前記被係止部に係止する係止部と、
前記スライドシャーシとともに前記ロックスライダを前記収納用シャーシの前記出し入れ口から引き出した際に前記被当接部に当接する当接部と、を有し、
前記被係止部に前記係止部が係止することにより、前記スライドシャーシ上に前記液晶搭載部が倒置状態で固定される一方、前記被当接部に前記当接部が当接することにより、前記液晶搭載部が前記ロックスライダから離隔する方向にスライド移動して前記被係止部と前記係止部との係止状態が解除される
ことを特徴とする液晶ディスプレイの収納装置。
【請求項２】
前記ロックスライダと前記液晶搭載部とを近接させるための付勢力を作用させる付勢手段を備える
ことを特徴とする請求項１に記載の液晶ディスプレイの収納装置。
【請求項３】
前記被係止部は、
前記係止部を嵌合させる嵌合用凹部である
ことを特徴とする請求項１又は２に記載の液晶ディスプレイの収納装置。
【発明の詳細な説明】
【０００１】
【発明の属する技術分野】
本発明は、液晶ディスプレイの収納装置に関する。
【０００２】
【従来の技術】
近年、運転席のダッシュボードにビルトインされた所定の収納装置の内部に引出可能に配置される車載用液晶ディスプレイが提案され、実用化されている。図６から図８は、かかる車載用液晶ディスプレイを収納する従来の収納装置の構造及び動作を説明するための側面図である。
【０００３】
車載用液晶ディスプレイを収納する従来の収納装置１００は、図６に示すように、収納用シャーシ１１０と、収納用シャーシ１１０の内部に収納されるスライドシャーシ１２０と、を備えている。収納用シャーシ１１０にはガイドレール１１１が、スライドシャーシ１２０にはガイド１２１が、各々固定され、ガイドレール１１１に沿ってガイド１２１をスライド移動させることにより、収納用シャーシ１１０に対するスライドシャーシ１２０の引出・収納動作が可能となっている（図７参照）。
【０００４】
スライドシャーシ１２０の端部には、液晶ディスプレイを搭載した液晶搭載部１３０の下端部が回動軸１４０を介して回動可能に取り付けられている。収納用シャーシ１１０に対してスライドシャーシ１２０を十分に引き出し、回動軸１４０を中心に液晶搭載部１３０を図７における時計周りに回動させて起立状態とした上で、液晶ディスプレイを使用することができる（図８参照）。逆に、図８に示した状態から回動軸１４０を中心に液晶搭載部１３０を図８における反時計周りに回動させて倒置状態とした上で、収納用シャーシ１１０の内部にスライドシャーシ１２０と液晶搭載部１３０とを一体的に収納することができる（図６参照）。
【０００５】
【発明が解決しようとする課題】
しかし、スライドシャーシ１２０及び液晶搭載部１３０を収納用シャーシ１１０の内部に収納した状態（図６参照）の収納装置１００を上下反転させたり、かかる収納装置１００に上下方向の振動を作用させたりした場合には、重力や機構のガタつき等に起因して液晶搭載部１３０が上方に持ち上がる場合がある（図９参照）。かかる場合には、液晶搭載部１３０の上端部１３１と収納用シャーシ１１０の天板１１２とが衝突して双方が損傷するという事態が発生し得る。
【０００６】
また、収納用シャーシ１１０の内部にスライドシャーシ１２０及び液晶搭載部１３０を一体的に収納する際に、液晶搭載部１３０が上方に持ち上がり、収納用シャーシ１１０の出し入れ口１１３に液晶搭載部１３０の上端部１３１が衝突して双方が損傷する場合がある（図１０参照）。
【０００７】
本発明の課題は、液晶ディスプレイの収納装置において、外部振動等が作用した場合における液晶搭載部及び収納用シャーシの損傷を防止することである。
【０００８】
【課題を解決するための手段】
以上の課題を解決するため、請求項１に記載の発明は、
出し入れ口を有する収納用シャーシと、前記収納用シャーシに対して引出・収納に係る所定方向のスライド移動が可能なスライドシャーシと、液晶ディスプレイが搭載され一端部が前記スライドシャーシ上に回動可能に取り付けられた液晶搭載部と、を備える液晶ディスプレイの収納装置において、
前記液晶搭載部の他端部に設けられた被係止部と、
前記収納用シャーシの前記出し入れ口に設けられた被当接部と、
前記液晶搭載部に隣接した状態で前記所定方向にスライド移動可能に前記スライドシャーシ上に取り付けられたロックスライダと、を備え、
前記ロックスライダは、
前記スライドシャーシ上で倒置状態にある前記液晶搭載部に前記ロックスライダを近接させた際に前記被係止部に係止する係止部と、
前記スライドシャーシとともに前記ロックスライダを前記収納用シャーシの前記出し入れ口から引き出した際に前記被当接部に当接する当接部と、を有し、
前記被係止部に前記係止部が係止することにより、前記スライドシャーシ上に前記液晶搭載部が倒置状態で固定される一方、前記被当接部に前記当接部が当接することにより、前記液晶搭載部が前記ロックスライダから離隔する方向にスライド移動して前記被係止部と前記係止部との係止状態が解除される
ことを特徴とする。
【０００９】
請求項２に記載の発明は、請求項１に記載の液晶ディスプレイの収納装置において、
前記ロックスライダと前記液晶搭載部とを近接させるための付勢力を作用させる付勢手段を備える
ことを特徴とする。
【００１０】
請求項３に記載の発明は、請求項１又は２に記載の液晶ディスプレイの収納装置において、
前記被係止部は、
前記係止部を嵌合させる嵌合用凹部である
ことを特徴とする。
【００１１】
【発明の実施の形態】
以下、図を参照して、本発明の実施の形態に係る液晶ディスプレイの収納装置（以下、単に「収納装置」という）１について詳細に説明する。
【００１２】
図１は、収納装置１に液晶ディスプレイを収納した状態を示す一部透過側面図であり、図２は、図１のＩＩ部分（収納装置１の内部）の拡大図である。また、図３は、収納装置１から液晶ディスプレイを引き出した状態を示す側面図であり、図４は、図３のＩＶ部分の拡大図である。また、図５は、図３に示した状態から液晶ディスプレイを回動させ起立させた状態を示す側面図である。なお、図１、図３及び図５の矢印Ａで示した方向を「前」、矢印Ｂで示した方向を「後」として以下の説明を行う。
【００１３】
まず、本実施の形態に係る収納装置１の構成について説明する。
【００１４】
収納装置１は、収納用シャーシ１０、スライドシャーシ２０、液晶搭載部３０、ロックスライダ４０等から構成されている。
【００１５】
収納用シャーシ１０は、スライドシャーシ２０及び液晶搭載部３０を収納するための収納空間を有する略直方体状の筐体である。収納用シャーシ１０は、スライドシャーシ２０や、このスライドシャーシ２０の上で倒置させた状態の液晶搭載部３０を出し入れ可能にする出し入れ口１１を有している。
【００１６】
収納用シャーシ１０は、スライドシャーシ２０に固定されたガイド２１をスライド移動可能に嵌め込むためのガイドレール１２を有している。ガイドレール１２に沿ってガイド２１を前方向にスライド移動させることによって収納用シャーシ１０の出し入れ口１１からのスライドシャーシ２０の引出動作が実現される。一方、ガイドレール１２に沿ってガイド２１を後方向にスライド移動させることによって収納用シャーシ１０の収納空間へのスライドシャーシ２０の収納動作が実現される。
【００１７】
収納用シャーシ１０の出し入れ口１１には、後述するロックスライダ４０の第２ピン４２（当接部）を当接させる被当接部１３が設けられている（図４参照）。被当接部１３は、収納用シャーシ１０の出し入れ口１１の縁部から図４の紙面奥側に延在する微小な板状部分であり、ロックスライダ４０の第２ピン４２を当接させることができる。ロックスライダ４０の第２ピン４２を収納用シャーシ１０の被当接部１３に当接させることにより、収納用シャーシ１０に対するロックスライダ４０の相対的スライド移動を阻止することができる。
【００１８】
スライドシャーシ２０は、その上面に取り付けられた液晶搭載部３０とともに収納用シャーシ１０の収納空間内に収納される一方、収納用シャーシ１０の出し入れ口１１から引き出される略板状の部材である。スライドシャーシ２０の下面には、前記した収納用シャーシ１０のガイドレール１２にスライド移動可能に嵌め込まれるガイド２１が固定されている（図３参照）。
【００１９】
スライドシャーシ２０の前端部２２には、回動軸２３を介して、液晶搭載部３０の下端部３１が回動可能に取り付けられている。図３に示すようにスライドシャーシ２０を収納用シャーシ１０から引き出し、後述するロック状態を解除し、液晶搭載部３０を図３における時計周りに回動軸２３を中心に回動させることによって、液晶搭載部３０を起立状態にすることができる（図５参照）。
【００２０】
また、スライドシャーシ２０の上面の後方には、後述するロックスライダ４０をスライド可能に取り付けるための接続部材２４が固定されている。接続部材２４には、後述するロックスライダ４０の溝部４３にスライド可能に嵌合するスライドピン２５が２本設けられている。
【００２１】
液晶搭載部３０は、図示されていない液晶ディスプレイを搭載する略平板状の部品であり、その下端部３１がスライドシャーシ２０の前端部２２に回動可能に取り付けられている。なお、液晶ディスプレイの表示画面は、図３に示した液晶搭載部３０の紙面上方側の面に設けられており、図５に示したように液晶搭載部３０を起立させた場合には、図５の紙面右側に表示画面が露出することとなる。
【００２２】
液晶搭載部３０の上端部３２には、後述するロックスライダ４０の第１ピン４１（係止部）を係止させる被係止部３３が設けられている（図２参照）。被係止部３３は、液晶搭載部３０の上端部３２の一部を切り欠いて図２の紙面奥側に凹ませて形成したものであり、図２の紙面奥側に突出するロックスライダ４０の第１ピン４１を嵌め込んで係止させる嵌合用凹部としての機能を果たす。被係止部３３は、図２に示すように、直線部分３３ａと傾斜部分３３ｂとを有している。
【００２３】
被係止部３３に第１ピン４１を嵌め込んで係止させる際には、ロックスライダ４０を液晶搭載部３０に近接させ、被係止部３３の直線部分３３ａに沿って第１ピン４１をスライドさせ、この直線部分３３ａと傾斜部分３３ｂとで第１ピン４１を挟み込むようにして第１ピン４１を嵌め込んで係止させる（図２参照）。
【００２４】
一方、被係止部３３と第１ピン４１との係止状態を解除するには、ロックスライダ４０を液晶搭載部３０から相対的に離隔させ、被係止部３３の傾斜部分３３ｂから第１ピン４１を離隔させる（図３及び図５参照）。この結果、液晶搭載部３０は、回動軸２３を中心として図３における時計周りに回動可能な状態となる。
【００２５】
ロックスライダ４０は、スライドシャーシ２０の上面に、前後方向にスライド移動可能に取り付けられた部材であり、図３に示すように、液晶搭載部３０の上端部３２に隣接した状態で配置されている。ロックスライダ４０は、液晶搭載部３０をスライドシャーシ２０上に倒置状態で固定するという機能を果たすものである。
【００２６】
ロックスライダ４０は、液晶搭載部３０がスライドシャーシ２０上で倒置状態にあるときに被係止部３３に係止する第１ピン４１と、ロックスライダ４０をスライドシャーシ２０と一体的に収納用シャーシ１０の出し入れ口１１から引き出した際に被当接部１３に当接する第２ピン４２と、を有している。すなわち、第１ピン４１は本発明における係止部であり、第２ピン４２は本発明における当接部である。
【００２７】
液晶搭載部３０の被係止部３３にロックスライダ４０の第１ピン４１を係止させる（図２参照）ことにより、スライドシャーシ２０上に液晶搭載部３０が倒置状態で固定される（図１参照）。
【００２８】
一方、ロックスライダ４０をスライドシャーシ２０とともに収納用シャーシ１０の出し入れ口１１から引き出した際に、収納用シャーシ１０の被当接部１３に第２ピン４２を当接させる（図４参照）ことにより、収納用シャーシ１０に対するロックスライダ４０の相対的スライド移動が阻止されて、液晶搭載部３０がロックスライダ４０から離隔する方向へスライド移動する。この結果、液晶搭載部３０の被係止部３３とロックスライダ４０の第１ピン４１との係止状態が解除される（図３参照）。
【００２９】
ロックスライダ４０は、スライドシャーシ２０の接続部材２４に設けられたスライドピン２５を遊嵌させる溝部４３を２つ備えている（図３参照）。スライドシャーシ２０の２本のスライドピン２５を、ロックスライダ４０の２つの溝部４３に各々遊嵌させることにより、スライドシャーシ２０に対するロックスライダ４０の前後方向におけるスライド移動が可能となる。
【００３０】
また、ロックスライダ４０の後方部分は、スプリング５０を介して、スライドシャーシ２０の接続部材２４の前方部分に接続されている。スプリング５０は、ロックスライダ４０を前方に移動させて液晶搭載部３０に近接させるための付勢力を、ロックスライダ４０に作用させるという機能を果たす。すなわち、スプリング５０は本発明における付勢手段である。かかるスプリング５０によって、ロックスライダ４０を液晶搭載部３０に近接させて、第１ピン４１を被係止部３３に確実に係止させることができる。
【００３１】
次に、本実施の形態に係る収納装置１の動作について説明する。
【００３２】
最初に、収納状態にある液晶ディスプレイを収納用シャーシ１０から引き出して使用状態に移行させる際の動作について説明する。まず、図１に示した状態にある収納用シャーシ１０の出し入れ口１１から、スライドシャーシ２０と、これに取り付けられた液晶搭載部３０及びロックスライダ４０と、を一体的に前方に引き出して、液晶搭載部３０とロックスライダ４０の一部とを露出させる。
【００３３】
この段階では、スプリング５０の付勢力によって、ロックスライダ４０が液晶搭載部３０側に押し付けられているため、ロックスライダ４０がスライドシャーシ２０及び液晶搭載部３０と一体的に収納用シャーシ１０に対してスライド移動する。また、この段階では、スプリング５０の付勢力によって、ロックスライダ４０の第１ピン４１が、倒置された液晶搭載部３０の被係止部３３に係止している状態（ロック状態）にある（図２参照）。
【００３４】
次いで、スライドシャーシ２０と液晶搭載部３０とロックスライダ４０とをさらに前方に引き出し、収納用シャーシ１０の出し入れ口１１からロックスライダ４０をほぼ完全に露出させ、ロックスライダ４０の第２ピン４２を、収納用シャーシ１０の出し入れ口１１に設けた被当接部１３に当接させる（図４参照）。このように第２ピン４２を被当接部１３に当接させることによって、収納用シャーシ１０に対するロックスライダ４０のスライド移動が阻止される。
【００３５】
このとき、スライドシャーシ２０及び液晶搭載部３０は、スプリング５０の付勢力に抗してさらに前方にスライド移動可能であるため、液晶搭載部３０をロックスライダ４０から離隔させることができる。このように液晶搭載部３０をロックスライダ４０から離隔させると、ロックスライダ４０の第１ピン４１と液晶搭載部３０の被係止部３３との係止状態が解除（ロック解除）され、液晶搭載部３０は、図３における時計回りに回動可能となる。この後、液晶搭載部３０を図３における時計回りに回動させて起立状態とし、液晶ディスプレイの表示画面を前方に向けて使用に供することができる（図５参照）。
【００３６】
次に、使用状態にある液晶ディスプレイを収納用シャーシ１０に収納する際の動作について説明する。まず、図５に示した起立状態にある液晶搭載部３０を図５における反時計回りに回動させて倒置状態とする。次いで、スライドシャーシ２０とこれに取り付けられた液晶搭載部３０とを一体的に後方にスライド移動させ、ロックスライダ４０の第１ピン４１を液晶搭載部３０の被係止部３３に係止させる（ロック動作）。
【００３７】
かかるロック動作により、液晶搭載部３０は倒置状態でスライドシャーシ２０上に固定される。また、ロック動作により、スライドシャーシ２０及び液晶搭載部３０の後方へのスライド動作がロックスライダ４０に伝達されるため、ロック動作以降は、スライドシャーシ２０と液晶搭載部３０とロックスライダ４０とが一体的に後方にスライド移動可能となる。
【００３８】
従って、ロック動作以降にスライドシャーシ２０及び液晶搭載部３０をさらに後方にスライド移動させると、これらスライドシャーシ２０及び液晶搭載部３０とともにロックスライダ４０が後方にスライド移動し、ロックスライダ４０の第２ピン４２がトップシャーシ１０の被当接部１３から離隔する。
【００３９】
その後、スライドシャーシ２０と、スライドシャーシ２０上に倒置状態で固定された液晶搭載部３０と、ロックスライダ４０と、をさらに後方にスライド移動させて、トップシャーシ１０の収納空間に収納する（図１参照）。
【００４０】
本実施の形態に係る収納装置１においては、液晶搭載部３０の上端部３２に設けられた被係止部３３と、スライドシャーシ２０上に液晶搭載部３０の上端部３２に隣接した状態で前後方向のスライド移動可能に取り付けられたロックスライダ４０と、を備え、ロックスライダ４０は、スライドシャーシ２０上で倒置状態にある液晶搭載部３０にロックスライダ４０を近接させた際に被係止部３３に係止する係止部である第１ピン４１を有しており、被係止部３３に第１ピン４１を係止させることによって、スライドシャーシ２０上に液晶搭載部３０を倒置状態で固定（ロック）することができる。
【００４１】
従って、スライドシャーシ２０と液晶搭載部３０とを収納用シャーシ１０の内部に収納した状態にある収納装置１（図１参照）を上下反転させたり、収納装置１に上下方向の振動を作用させたりした場合においても、液晶搭載部３０が上方（図１における紙面上方）に持ち上がることがないので、液晶搭載部３０の上端部３２と収納用シャーシ１０の天板１４との衝突を未然に防ぐことができる。また、収納用シャーシ１０の内部にスライドシャーシ２０と液晶搭載部３０とを一体的に収納する際にも、液晶搭載部３０が上方に持ち上がることがないので、収納用シャーシ１０の出し入れ口１１に液晶搭載部３０の上端部３２が衝突するのを未然に防ぐことができる。
【００４２】
この結果、収納用シャーシ１０及び液晶搭載部３０の損傷を防止することができるとともに、液晶搭載部３０の収納空間の拡張を回避して収納装置１全体を薄手とすることができる。
【００４３】
また、本実施の形態に係る収納装置１においては、収納用シャーシ１０の出し入れ口１１に設けられた被当接部１３と、スライドシャーシ２０上に液晶搭載部３０の上端部３２に隣接した状態で前後方向のスライド移動可能に取り付けられたロックスライダ４０と、を備え、ロックスライダ４０は、スライドシャーシ２０とともにロックスライダ４０を収納用シャーシ１０の出し入れ口１１から引き出した際に被当接部１３に当接する当接部である第２ピン４２を有しており、被当接部１３に第２ピン４２を当接させることによって、収納用シャーシ１０に対するロックスライダ４０の相対的スライド移動を阻止し、液晶搭載部３０をロックスライダ４０から離隔する方向にスライド移動させて、被係止部３３と第１ピン４１との係止状態を解除することができる。
【００４４】
従って、ロックスライダ４０をスライドシャーシ２０と一体的に収納用シャーシ１０の出し入れ口１１から引き出した場合において、スライドシャーシ２０上における液晶搭載部３０の倒置状態の固定を解除（ロック解除）し、液晶搭載部３０を自在に回動させることができる。
【００４５】
さらに、本実施の形態に係る収納装置１においては、ロックスライダ４０と液晶搭載部３０とを近接させるための付勢力を作用させるスプリング５０を備えるので、ロックスライダ４０の第１ピン４１を液晶搭載部３０の被係止部３３に確実に係止させることができる。従って、液晶搭載部３０をスライドシャーシ２０上に倒置状態で確実に固定することができる。
【００４６】
なお、以上の実施の形態においては、図２に示すように、直線部３３ａと傾斜部３３ｂとを有する形状の被係止部３３を採用しているが、被係止部の形状はこれに限られるものではない。すなわち、ロックスライダ４０を液晶搭載部３０に近接させた際に第１ピン４１を係止させる一方、ロックスライダ４０を液晶搭載部３０から離隔させた際に第１ピン４１との係止状態を解除することができる形状であればいかなるものでもよい。
【００４７】
また、以上の実施の形態においては、収納用シャーシ１０の出し入れ口１１の縁部から図４の紙面奥側に延在する微小な板状の被当接部１３を採用しているが、被当接部の構造はこれに限られるものではない。すなわち、収納用シャーシ１０からのロックスライダ４０の引出操作の際に第２ピン４２を当接させて、収納用シャーシ１０に対するロックスライダ４０の相対的スライド移動を阻止することができる構造であればいかなるものでもよい。
【００４８】
【発明の効果】
本発明によれば、外部振動等が作用した場合における液晶搭載部及び収納用シャーシの損傷を防止することができる。
【図面の簡単な説明】
【図１】本発明の実施の形態に係る液晶ディスプレイの収納装置に液晶ディスプレイを収納した状態を示す側面図である。
【図２】図１のＩＩ部分の拡大図である。
【図３】本発明の実施の形態に係る液晶ディスプレイの収納装置から液晶ディスプレイを引き出した状態を示す側面図である。
【図４】図３のＩＶ部分の拡大図である
【図５】図３の状態から液晶ディスプレイを回動させ起立させた状態を示す側面図である。
【図６】従来の液晶ディスプレイの収納装置に液晶ディスプレイを収納した状態を示す側面図である。
【図７】従来の液晶ディスプレイの収納装置から液晶ディスプレイを引き出した状態を示す側面図である。
【図８】従来の液晶ディスプレイの収納装置から液晶ディスプレイを引き出して起立させた状態を示す側面図である。
【図９】従来の液晶ディスプレイの収納装置の収納用シャーシの天板に液晶搭載部の上端部が衝突した状態を示す説明図である。
【図１０】従来の液晶ディスプレイの収納装置の収納用シャーシの出し入れ口に液晶搭載部の上端部が衝突した状態を示す説明図である。
【符号の説明】
１　　　　　液晶ディスプレイの収納装置
１０　　　　　収納用シャーシ
１１　　　　出し入れ口
１２　　　　ガイドレール
１３　　　　被当接部
１４　　　　天板
２０　　　　　スライドシャーシ
２１　　　　ガイド
２２　　　　前端部
２３　　　　回動軸
２４　　　　接続部材
２５　　　　スライドピン
３０　　　　　液晶搭載部
３１　　　　下端部
３２　　　　上端部
３３　　　　被係止部
３３ａ　　直線部分
３３ｂ　　傾斜部分
４０　　　　　ロックスライダ
４１　　　　第１ピン
４２　　　　第２ピン
４３　　　　溝部
５０　　　　　スプリング
１００　　　　　従来の液晶ディスプレイの収納装置
１１０　　　　　収納用シャーシ
１１１　　　　ガイドレール
１１２　　　　天板
１１３　　　　出し入れ口
１２０　　　　　スライドシャーシ
１２１　　　　ガイド
１３０　　　　　液晶搭載部
１３１　　　　上端部
１４０　　　　　回動軸
【図１】
2004054089.tif 000003
【図２】
2004054089.tif 000004
【図３】
2004054089.tif 000005
【図４】
2004054089.tif 000006
【図５】
2004054089.tif 000007
【図６】
2004054089.tif 000008
【図７】
2004054089.tif 000009
【図８】
2004054089.tif 000010
【図９】
2004054089.tif 000011
【図１０】
2004054089.tif 000012